(57)【要約】  磁気共鳴画像化装置は、第１の磁場コイル（３０）と、第２の磁場コイル（３２）とを含む。電源（４０、４２）は、前記第１の磁場コイル（３０）を駆動し、前記第２の磁場コイル（３２）を選択的に駆動して、第１の方向に伸張した第１の選択可能視野（ＦＯＶ１）を画成する第１の磁場と、前記第１の方向と異なる第２の方向に伸張した第２の選択可能視野（ＦＯＶ２）を画成する第２の磁場を選択的に生成する。
2007512039.tif 000002
【特許請求の範囲】
【請求項１】
磁気共鳴画像化装置であって、
第１の磁場コイルと、
第２の磁場コイルと、
前記第１の磁場コイルを駆動し、前記第２の磁場コイルを選択的に駆動して、第１の方向に伸張した第１の選択可能視野を画成する第１の磁場と、前記第１の方向と異なる第２の方向に伸張した第２の選択可能視野を画成する第２の磁場を選択的に生成する電源と、
を含むことを特徴とする装置。
【請求項２】
請求項１に記載の磁気共鳴画像化装置であって、
内部に前記第１の磁場コイルと前記第２の磁場コイルが配置された、磁石穴（bore）と磁石穴軸を画成する磁石ハウジングをさらに含み、
前記第１と第２の選択可能視野は前記磁石穴内にあることを特徴とする装置。
【請求項３】
請求項２に記載の磁気共鳴画像化装置であって、
前記第１の方向と前記第２の方向の一方は前記磁石穴軸に平行であり、
前記第１の方向と前記第２の方向の他方は前記磁石穴軸に対してほぼ横向きの放射状に対称な方向を含むことを特徴とする装置。
【請求項４】
請求項２に記載の磁気共鳴画像化装置であって、
前記第１の磁場は、前記第２の磁場コイルを駆動することなしに前記第１の磁場コイルを駆動することにより発生され、
前記第２の磁場は、前記第１の磁場を、前記第２の磁場コイルの駆動により発生された補助磁場と合成することにより発生されることを特徴とする装置。
【請求項５】
請求項４に記載の磁気共鳴画像化装置であって、
前記第１の磁場は、前記磁石穴軸と平行な磁場成分を含み、
前記補助磁場は、前記磁石穴軸と平行な磁場成分はほとんど発生しないことを特徴とする装置。
【請求項６】
請求項２に記載の磁気共鳴画像化装置であって、
前記第１の磁場は、前記第１の磁場コイルを駆動し、第１のゼロでない電流で前記第２の磁場コイルを駆動することにより発生され、
前記第２の磁場は、前記第１の磁場コイルを駆動し、前記第１のゼロでない電流とは反対の電流である第２のゼロでない電流で前記第２の磁場コイルを駆動することにより発生されることを特徴とする装置。
【請求項７】
請求項２に記載の磁気共鳴画像化装置であって、
前記磁石穴の長さは１ｍより短いことを特徴とする装置。
【請求項８】
請求項２に記載の磁気共鳴画像化装置であって、
前記第１の視野は、前記磁石穴軸に対して横向きの少なくとも１つのほぼ円形の断面を有する楕円体視野であり、
前記第２の視野は、前記磁石穴軸に対して横向きの少なくとも１つのほぼ円形の断面を有する楕円体視野であることを特徴とする装置。
【請求項９】
請求項８に記載の磁気共鳴画像化装置であって、
前記第１の視野と前記第２の視野の一方は扁長の楕円体視野であり、前記第１の視野と前記第２の視野の他方は扁平の楕円体視野であることを特徴とする装置。
【請求項１０】
請求項１に記載の磁気共鳴画像化装置であって、
前記第１の磁場は６次高調波と８次高調波を含み、前記６次高調波と８次高調波は第１の相対的極性または符号を有し、
前記第２の磁場は６次高調波と８次高調波を含み、前記第２の磁場の６次及び８次高調波は、前記第１の磁場の６次及び８次高調波に対して反対の相対的極性または符号を有することを特徴とする装置。
【請求項１１】
請求項１に記載の磁気共鳴画像化装置であって、
前記第１の磁場コイルと前記第２の磁場コイルは複数のコイルパッケージとして構成され、各コイルパッケージは前記第１の磁場コイルの部分と前記第２の磁場コイルの部分とを含み、前記第１の磁場コイルの部分は電気的に直列に接続されて前記第１の磁場コイルを電気的に形成し、前記第２の磁場コイルの部分は電気的に直列に接続されて前記第２の磁場コイルを電気的に形成することを特徴とする装置。
【請求項１２】
請求項１に記載の磁気共鳴画像化装置であって、
前記第１の磁場コイルと前記第２の磁場コイルは、相互誘導がほとんどないように相対的に配置されていることを特徴とする装置。
【請求項１３】
請求項１に記載の磁気共鳴画像化装置であって、
前記電源を制御して前記第１の視野と前記第２の視野の間の切り替えの際に前記第１の磁場コイルの駆動を一定に保つフィードバックコントローラをさらに含むことを特徴とする装置。
【請求項１４】
請求項１に記載の磁気共鳴画像化装置であって、
前記磁石穴の長さは穴の直径以下であることを特徴とする装置。
【請求項１５】
請求項１に記載の磁気共鳴画像化装置であって、
前記第１の視野と前記第２の視野の選択される一方とほぼ一致するボリューム内にほぼ線形の磁場グラディエントを発生する可変視野磁場グラディエントコイルをさらに含むことを特徴とする装置。
【請求項１６】
磁気共鳴画像化用選択可能視野を生成する方法であって、
少なくとも第１の磁場コイルを駆動して、磁石穴軸に対して横向きの第１の断面の大きさと前記磁石穴軸方向の第１の長さを有する第１のほぼ楕円体の視野を画成する第１の磁場を発生するステップと、
前記第１の磁場コイルと第２の磁場コイルを駆動して、前記磁石穴軸に対して横向きの第２の断面の大きさと前記磁石穴軸方向の第２の長さを有する第２のほぼ楕円体の視野を画成する選択可能な第２の磁場を発生するステップと、を含み、
前記第１の断面の大きさと前記第１の長さの比率は、前記第２の断面の大きさと前記第２の長さの比率と異なることを特徴とする方法。
【請求項１７】
請求項１６に記載の方法であって、
前記第２の磁場コイルの選択的駆動を変更して、前記第１と第２の磁場を調節するステップをさらに有し、
調節された視野を画成する前記調節された磁場は前記第１の視野と前記第２の視野の間の中間の空間的広がりを有することを特徴とする方法。
【請求項１８】
請求項１６に記載の方法であって、
前記第２の磁場コイルの選択的駆動は、
第１のゼロでない電流で前記第２の磁場コイルを駆動して前記第１のほぼ楕円体の視野を画成刷る前記第１の磁場を発生するステップと、
前記第１のゼロでない電流と異なる第２のゼロでない電流で前記第２の磁場コイルを駆動して、前記第２のほぼ楕円体の視野を画成する前記第２の磁場を発生するステップと、を有することを特徴とする方法。
【請求項１９】
請求項１６に記載の方法であって、
前記第１のほぼ楕円体の視野と前記第２のほぼ楕円体の視野の一方は扁長楕円体視野であり、前記第１のほぼ楕円体の視野と前記第２のほぼ楕円体の視野の他方は扁平楕円体視野であることを特徴とする方法。
【請求項２０】
請求項１６に記載の方法であって、
前記第１と第２の断面の大きさは、前記磁石穴軸に対して横向きのほぼ楕円体のしやの円形断面の半径であることを特徴とする方法。
【発明の詳細な説明】
【技術分野】
【０００１】
本発明は磁気共鳴の技術に関する。本発明は、短い穴（bore）磁気共鳴画像化スキャナに具体的に適用することができ、それを参照して説明する。しかし、本発明は、長い穴（bore）その他のタイプの磁気共鳴画像化スキャナや磁気共鳴分光器やその他の磁気共鳴の応用分野にも適用することができる。
【０００２】
磁石穴が短い（例えば１ｍより短い）磁気共鳴画像化スキャナは、看者の閉所恐怖症を軽減し、穴が短いことで画像化対象へのアクセスが容易にして磁気共鳴画像化によりモニターしてインターベンショナル処置を実行し、子供等の小さな対象を画像化するなどの観点で注目されている。
【０００３】
長い穴の構成から磁石のジオメトリが離れるにつれ、磁場が実質的に一定であり一様な球形の視野を生成する磁石コイルの設計は、より困難になる。長さと直径の比が１以下の磁石コイルの場合、大きく実質的に球形なボリュームを生成する磁石の設計は困難であるか、または不可能である。短い穴の磁石では、６次及び８次の磁場高調波を同時に無くすことは特に困難である。これらの高調波により視野は球形ではなくなる。
【０００４】
球形のボリュームは従来からのものであり、画像化装置を広い範囲の画像化アプリケーションに使用可能とする。例えば、磁石穴に横向き方向で視野を短くすると、軸方向スライスの半径方向視野が制限され、一方、磁石穴の軸方向で視野を短くすると、多数の横方向スライスを限定する画像化ボリュームの縦方向の長さが制限され、画像化平面の傾きが制約され、矢状画像化平面の長さが制限される。
【０００５】
大きな、ほぼ球形の視野を得るという問題は、短い穴の磁石については特に深刻であるが、より長い穴の磁石であっても、大きな、ほぼ球形の視野を得ることは困難である。
【０００６】
本発明は、上述の課題等を解消する改良された装置と方法を企図するものである。
【０００７】
一態様によると、第１の磁場コイルと第２の磁場コイルを含む磁気共鳴画像化装置を開示した。電源が、前記第１の磁場コイルを駆動し、前記第２の磁場コイルを選択的に駆動して、第１の方向に伸張した第１の選択可能視野を画成する第１の磁場と、前記第１の方向と異なる第２の方向に伸張した第２の選択可能視野を画成する第２の磁場を選択的に生成する。
【０００８】
他の態様によると、磁気共鳴画像化用選択可能視野を生成する方法が提供される。少なくとも第１の磁場コイルを駆動して、磁石穴軸に対して横向きの第１の断面の大きさと前記磁石穴軸方向の第１の長さを有する第１のほぼ楕円体の視野を画成する第１の磁場を発生する。前記第１の磁場コイルと第２の磁場コイルを駆動して、前記磁石穴軸に対して横向きの第２の断面の大きさと前記磁石穴軸方向の第２の長さを有する第２のほぼ楕円体の視野を画成する選択可能な第２の磁場を発生する。前記第１の断面の大きさと前記第１の長さの比率は、前記第２の断面の大きさと前記第２の長さの比率と異なる。
【０００９】
所望の画像領域の長さに対応する長さの視野を提供できる点で有利である。
【００１０】
また、選択された方向に伸張する視野を有する磁気共鳴画像化スキャナを提供する点で有利である。
【００１１】
さらに、選択可能視野を提供するために磁石の設計によっては排除することが困難な磁場高調波を使用する点で有利である。
【００１２】
以下の好ましい実施形態の詳細な説明を読めば、当業者には多数の別の利点と利益が明らかになるであろう。
【００１３】
本発明は、いろいろな構成要素及び構成要素の組み合わせの形を取り、いろいろなプロセス動作及びプロセス動作の組み合わせの形を取る。図面は好ましい実施形態を例示することを目的としており、本発明を限定するものと解釈すべきではない。
【００１４】
図１−４を参照して、磁気共鳴画像化システムは、磁石穴１４と磁石穴軸１６を画成するほぼ円筒形のハウジング１２を有する磁気共鳴画像化スキャナ１０を含む。磁石穴軸１６は、ｚ軸でもある。トロイダル磁石ハウジング１２を図示したが、オープン磁石を使用してもよい。一部の実施形態において、磁気共鳴画像化スキャナ１０は、短い穴の磁石を含み、穴の長さＬｂｏｒｅは穴の直径Ｄｂｏｒｅ以下であり、一実施形態では１ｍより小さい。しかし、穴がより長い（例えば、Ｌｂｏｒｅが１ｍより長い）磁石も使用することができる。
【００１５】
特に図２を参照して、ほぼドーナツ型のハウジング１２は、第１と第２の超伝導磁場コイル３０を囲む（cryoshroud）ためにクライオシュラウド（cryoshroud）ボリューム２０を画成する。抵抗型コイルを使用することもできる。第１と第２の磁場コイル３０、３２は、コイルパッケージ中で互いに隣接している。各コイルパッケージは、第１の磁場コイルと第２の磁場コイルが巻かれている。第１の磁場コイルの巻線は、第１の磁場コイル３０を画成するように直列またはその他の電気的構成で電気的に接続されている。一方、第２の磁場コイルの巻線は、第２の磁場コイル３２を画成するように電気的に接続されている。図２に示した実施形態において、各コイルパッケージ内で、第１の磁場の部分は磁石穴１４に比較的近く配置され、第２の磁場の部分は磁石穴１４から比較的遠くに配置される。この相対的な配置は、磁石穴１４から他のコイルパッケージよりも離れて配置されるストレイ磁場補償またはシールドコイルパッケージ３６では逆になっている。実施形態によっては、磁場コイル３０、３２の長さ対直径比は１より小さい。
【００１６】
第１の磁場コイル３０は第１の電源４０により駆動され、第１の選択可能な視野ＦＯＶ１を画成する第１の磁場を生成する。第１の視野ＦＯＶ１は、磁石穴軸１６に対して横方向に伸びている。第１のコイル巻線に固有の６次と８次の磁場高調波は、第１の視野ＦＯＶ１の伸張に大きく貢献する。６次と８次の磁場高調波の相対的な符号に応じて、視野は長さ方向または半径方向に伸張する。相対的符号の１つの場合、横方向ディスクにのばされた球と同様に、視野ＦＯＶ１は、半径方向に対称的に伸張される。６次及び８次の高調波の相対的符号が異なる場合、視野ＦＯＶ２は磁石穴軸１６にほぼ平行な方向に伸張される。当業者は、特に穴が短い磁石と長さ対直径比が１より小さい磁石の場合、６次と８次の高調波の視野伸張効果をなくすことは困難であることが分かるであろう。第１の磁場コイル３０は、磁石穴軸１６に沿ったＢ０磁場成分を生成する。このＢ０磁場成分は、６次と８次の高調波とともに画像化のための主磁場として機能する。６次及び８次の高調波は、その符号に応じて、一様な視野をＦＯＶ１またはＦＯＶ２として形成する。
【００１７】
第２の磁場コイル３２は、第２の電源４２により選択的に駆動され、補助磁場を生成する。この補助磁場は、第１の磁場コイル３０の駆動により生成された第１の磁場と合成され、第２の選択可能視野をＦＯＶ１とＦＯＶ２とは別に画成する６次と８次の高調波の相対的符号を反転する。一実施形態において、第２の磁場コイル３２は、磁石穴軸１６と平行なＢ０磁場成分はほとんど発生しない。結果として、第１の視野ＦＯＶ１と第２の視野ＦＯＶ２を切り換えるために第２の磁場コイル３２を駆動しても、陽子の磁気共鳴周波数は変化しない。
【００１８】
別の実施形態において、第１と第２の磁場コイル３０、３２は、実質的に一定な大きさで第２の磁場コイル中の電流の方向を反転することにより、一様な視野形状が第１と第２の視野の間で変化するように、設計されている。この実施形態において、第１の視野は、第１の磁場コイル３０を駆動して、第２の磁場コイルを第１の電流で駆動することにより形成される。第２の視野は、第１の磁場コイル３０を駆動し続け、第２の磁場コイル３２の駆動を第１の電流とは異なる第２の電流に変化させることにより形成される。このアプローチにより過渡的なスイッチングによるエネルギー損失を減らすことができる。一般的には、第２の磁場コイル３２の第１と第２の電流は、その向きが反対である。
【００１９】
図３を特に参照して、第１の視野ＦＯＶ１はほぼ楕円体形状であり、直径ｄ１の円形の断面は磁石穴軸１６の方向に対してほぼ横向きであり、長さＬ１は磁石穴軸１６の方向である。図３において、ほぼ楕円体の第１の視野ＦＯＶ１は扁平な楕円体形状であり、直径ｄ１は長さＬ１より大きい。長さＬｂｏｒｅが約８００ｍｍで直径ｄｂｏｒｅが約８００ｍｍである短い穴の磁石である一実施形態において、第１の視野ＦＯＶ１の直径ｄ１＝４００ｍｍであり、長さＬ１＝８０ｍｍである。
【００２０】
図４を特に参照して、第２の視野ＦＯＶ２は、ほぼ楕円体形状であり、磁石穴軸１６の方向に対してほぼ横向きの直径ｄ２の円形断面と、磁石穴軸１６の方向に沿った長さＬ２を有する。図４において、ほぼ楕円体の第２の視野ＦＯＶ２は、偏長の楕円体形状であり、その直径ｄ２は長さＬ２より小さい。短い磁石を使用する実施形態において、第２の視野ＦＯＶ２の直径はｄ２＝１００ｍｍであり、長さＬ２＝３００ｍｍである。
【００２１】
例示した第１と第２の磁場コイル３０、３２及び対応する第１と第２の視野ＦＯＶ１、ＦＯＶ２の構成は単なる例である。当業者は具体的なアプリケーションに合わせて例示した構成を容易に修正することができる。例えば、コイルパッケージ中のコイルの各部分の相対的な位置関係を逆にして、補助磁場を発生する第２のコイルを磁石穴１４の比較的近くに配置してもよい。また、第１の磁場コイルが扁長の楕円体形状を有する視野を形成し、第２の磁場コイルにより発生する補助磁場を加えると扁平の楕円体形状を有する視野が形成されるように、コイルを設計してもよい。第１と第２の視野の一方がほぼ球形、すなわち、磁石穴軸１６の方向の長さが円形断面の直径とほぼ等しい楕円体形状であってもよい。さらにまた、円形断面を楕円その他の形状の断面で置き換えてもよい。例えば、楕円穴断面を有するスキャナにおいては、円形断面ではなく、楕円形断面の楕円体視野を有することは有利である。
【００２２】
任意的に、第２の電源４２は、第２のコイル３２に供給するパワー量を調節できる可変電源である。これにより、補助磁場を調節して、第１の磁場と調節される補助磁場とを組み合わせて、第１の視野ＦＯＶ１と第２の視野ＦＯＶ２の間の中間の空間的広がりを有する調節された第２の視野を形成するようにすることができる。２つ以上の磁場コイルで補助磁場を発生してもよい。この構成の場合、複数の補助磁場コイルを選択的に駆動して第２の視野を調節することができる。
【００２３】
特に図２を参照して、磁気共鳴画像化スキャナ１０は、磁石穴１４の内部に磁場グラディエントを発生する１組の磁場グラディエントコイル５０をさらに含む。好ましい一実施形態において、１つ以上の可変視野磁場グラディエントコイル５０は、磁場グラディエントコントローラ５２により選択的に駆動され、第１の視野ＦＯＶ１と第２の視野ＦＯＶ２の選択された方とほぼ一致するように選択されたボリューム内に、１つ以上のほぼ線形の磁場グラディエントを発生する。可変視野磁場グラディエントコイルは、例えば、DeMeester等に付与された米国特許第６，４７９，９９９号で開示されているものが好適である。好ましくは、例えば、ｘ、ｙ、ｚ方向の磁場を発生するコイルを別々にして複数の磁場グラディエントコイル５０を備える。
【００２４】
図１を特に参照して、磁気共鳴画像化システムは、周知の構成要素（ここでは詳細には説明しない）を含むラジオ周波数システム６０をさらに含む。一般的に、ラジオ周波数システム６０は、磁石穴１４内または磁石ハウジング１２内に配置された全身ラジオ周波数コイル、ローカルラジオ周波数コイル、ラジオ周波数コイルアレイ等を含み、また画像化対象中の磁気共鳴を励起する１つ以上の前記ラジオ周波数コイルまたはコイルアレイに結合したラジオ周波数トランスミッタを含み、さらに画像化対象からの磁気共鳴信号を受信する１つ以上の前記ラジオ周波数コイルまたはコイルアレイに結合したラジオ周波数レシーバを含む。
【００２５】
上記の磁気共鳴信号は、好ましくは、磁場グラディエントコイル５０により発生された磁場グラディエントによりｋ空間サンプルとして空間的にエンコードされている。このエンコードは、例えば、磁気共鳴励起の際にスライスを選択する磁場グラディエントを印加して、次にフェーズエンコーディンググラディエントを印加し、磁気共鳴信号のサンプリングの際に読み出しグラディエントを印加することにより行う。この空間的エンコーディング方法は単なる例である。ほぼいかなるタイプの空間的エンコーディング方法を用いても第１の視野ＦＯＶ１と第２の視野ＦＯＶ２の一方を選択して空間的にエンコードすることができる。磁気共鳴信号ｋ空間サンプルは、ｋ空間メモリ６２に好適に格納される。画像再構成プロセッサ６４は、逆フーリエ変換またはその他の再構成アルゴリズムを適用して、ｋ空間データから１つ以上の再構成画像を生成する。
【００２６】
再構成画像は、画像メモリ６６に格納され、ユーザインターフェイス７０で処理及び表示され、不揮発メモリに格納され、ローカルエリアネットワークやインターネットを解して伝送されるなど、利用される。ユーザインターフェイス７０は、好ましくは、ディスプレイ、プリンタ、その他の出力装置を含む。これらの出力装置により、技師、放射線科医、その他のオペレータや診断者は、再構成画像を見たり、表示したり、操作したりすることができる。さらにまた、ユーザインターフェイス７０により、オペレータは、磁気共鳴画像化シーケンスコントローラ７２と情報のやりとりをでき、磁気共鳴画像化シーケンスを選択し、画像化シーケンスを修正し、画像化シーケンスを実行し、磁気共鳴画像化スキャナ１０を制御することができる。
【００２７】
第１の視野ＦＯＶ１から第２の視野ＦＯＶ２に切り換えるため、磁気共鳴画像化コントローラ７２は第２の電源４２を動作させて第２のコイル３２を駆動する。一般的に、第２のコイルが駆動状態で安定するまでの時間は、画像化する看者の準備ができるまでの時間（例えば、５分から１０分）よりも短い。同様に、第２の視野ＦＯＶ２から第１の視野ＦＯＶ１に切り換える際、第２の電源４２は第２コイル３２の駆動の駆動をやめる。一実施形態において、第１の磁場コイル３０と第２の磁場コイル３２は、それらの間に相互誘導がほぼないように相対的に配置される。この場合、第２の磁場コイル３２を駆動しても駆動をやめても、第１の磁場コイル３０には影響しない。第１の磁場コイル３０は、画像化の間も視野ＦＯＶ１とＦＯＶ２の間の切り換えの間も一定のレベルで駆動され続ける。
【００２８】
図２を特に参照して、第１の磁場コイル３０と第２の磁場コイル３２の間に相互誘導カップリングがある場合、第１の電源４０を制御して、視野ＦＯＶ１とＦＯＶ２の間の切り替えの際に第１の磁場コイル３０の駆動を一定に保つフィードバックコントローラ８０を実装することもできる。（フィードバックコントローラ８０とそれに関連するフィードバック及び制御信号経路を図２に点線で示した。）一実施形態において、比例−積分−微分（ＰＩＤ）制御を用いた電流コントローラが第１の磁場コイル３０を流れる電流を監視し、第１の電源４０を制御して、第１の磁場コイル３０を流れる電流を一定に保つ。
【００２９】
第１の磁場コイル３０は、第１の視野ＦＯＶ１と第２の視野ＦＯＶ２のいずれが選択されているかにかかわらず、一定の磁場を発生するようい駆動することができる。結果として、第１の磁場コイル３０の過渡応答特性は、一般的には重要ではない。しかし、視野ＦＯＶ１とＦＯＶ２の間の切り換えの際に駆動されたり駆動をやめたりする第２の磁場コイル３２の過渡応答特性は、速いことが好ましい。速い過渡コイル応答は、例えば、ヒステリシス損失が低い導体を用い、または、クライオスタットやコイル指示部品に誘起される渦電流を最小化して、ランピング損失を減らすことを目標にして第２の磁場コイル３２を設計することにより好適に達成することができる。第２の磁場コイル３２の切り替えの際に起こる過渡的なエネルギー損失により、コイル３２の電流変化の際にヘリウムが蒸発するので、導電体の選定や導電性の低いコイル指示構造を使用することなどにより、このエネルギー損失を減らさなければならない。任意的に、超伝導または抵抗性シムコイル（図示せず）を含めて、第１及び第２の磁場の一方または両方をシムする。
【００３０】
視野ＦＯＶ１とＦＯＶ２は、一般的に、実行すべき画像化のタイプに基づいて選択する。例えば、人間を対象として背骨の画像化の際、背骨は磁石穴軸１６の方向と合っており、磁石穴軸１６の方向に伸びている第２の視野ＦＯＶ２の方が、第１の視野ＦＯＶ１よりもカバーする範囲が広い。一方、磁石穴軸１６に対して横向きの軸方向スライスの場合、または複数の隣接する軸方向スライスを用いたボリューム画像化の場合、磁石穴軸１６に対して横向きに広がった第１の視野ＦＯＶ１を使用する方が好ましい。好ましい一実施形態において、磁気共鳴画像化コントローラ７２は、第２の電源４２を動作させて、第２のコイル３２を駆動して得られる第１の視野ＦＯＶ１と第２のコイル３２を駆動して得られる第２の視野ＦＯＶ２を選択する。
【００３１】
好ましい実施形態を参照して本発明を説明した。明らかに、上記の詳細な説明を読んで理解すれば、修正や変更に想到するであろう。そのような修正や変更は、添付した請求項またはその均等物の範囲に入る場合は本発明に含まれると解釈すべきである。
【図面の簡単な説明】
【００３２】
【図１】選択可能な視野を有する磁気共鳴画像化スキャナを含む磁気共鳴画像化システムを表す概略図である。該磁気共鳴画像化スキャナは磁石穴をさらすように切り取られたハウジング部分を有する。
【図２】図１の磁気共鳴画像化スキャナを示す垂直断面図である。
【図３】第１の視野を示す透視図である。
【図４】第２の視野を示す透視図である。
【図１】
2007512039.tif 000003
【図２】
2007512039.tif 000004
【図３】
2007512039.tif 000005
【図４】
2007512039.tif 000006
【国際調査報告】
2007512039.tif 000007
2007512039.tif 000008
2007512039.tif 000009